(57)【要約】      （修正有）【課題】物品のディスプレースタンドを提供する。【解決手段】支持体上にある物品１０を収容しており単一の開口がある囲まれたハウジングを形成しているコンパートメントを備えたインタラクティブなディスプレースタンド１であり、１つのみの物品を開口を通して見ることができるようにするように支持体を動かす運搬手段を動作させるた駆動手段の制御手段を有する。ユーザーは、物品の選択のために制御手段７を利用し、制御手段は、オペレーション手段を制御し開口と整列するようにこの駆動手段に接続しており、支持体は、見るために選択された物品を支持している。ディスプレースタンドは、セキュリティ空間内の手の存在を検出するセキュリティ検出手段を有しており、これは、前記検出の場合にプログラムドサイクルを開始し開口を通してこのコンパートメント内に物品をロックするように駆動手段に接続している。【選択図】図１
2018153620.tif 000002
【特許請求の範囲】
【請求項１】
少なくとも１つの支持体（３）に固定された複数のディスプレー用物品（１０）を収容するように構成しているコンパートメント（２）を有するインタラクティブなディスプレースタンド（１）であって、
前記コンパートメント（２）は、単一の開口（４）を通してアクセス可能な囲まれたハウジングを形成しており、
前記ディスプレースタンド（１）は、オペレーション手段（６）を制御するように構成している駆動手段（２０）を有しており、
前記オペレーション手段（６）は、一度に前記開口（４）を通して単一の物品（１０）を見ることができるように少なくとも１つの前記支持体（３）を動かすように構成している運搬手段（６３）を有しており、
前記ディスプレースタンド（１）は、前記物品（１０）の選択のためにユーザーがアクセス可能であり前記駆動手段（２０）に接続している制御手段（７）を有しており、これによって、選択された物品（１０）を支持する前記支持体（３）を前記開口（４）と整列させてユーザーがその物品（１０）を見ることを可能にするように前記オペレーション手段（６）を制御し、
前記ディスプレースタンド（１）は、セキュリティ検出手段（９１）を有する検出手段（９）を有し、
前記セキュリティ検出手段（９１）は、セキュリティ空間（１１）の範囲内にあるユーザーの手の存在を検出するように構成しており、前記駆動手段（２０）に接続しており、
前記駆動手段（２０）は、前記存在が検出されたときにプログラムドサイクルを開始するか又は前記開口（４）を通して前記コンパートメント（２）内の前記物品（１０）のロックを行うように構成している
ことを特徴とするディスプレースタンド（１）。
【請求項２】
前記単一の開口（４）は、物品（１０）を見ることができないようにする閉位置と１つの物品（１０）を見ることができるようにする開位置の間を動くことができる少なくとも１つのシャッターパネル（５）によって閉じることができ、
前記オペレーション手段（６）は、一度に前記開口（４）を通して１つのみの物品（１０）を見ることができるように、少なくとも１つの前記シャッターパネル（５）を動かすように構成している閉じ手段（６５）を有する
ことを特徴とする請求項１に記載のディスプレースタンド（１）。
【請求項３】
少なくとも１つの前記シャッターパネル（５）は、前記制御手段（７）を担持しており、又は前記制御手段（７）によって形成されている
ことを特徴とする請求項２に記載のディスプレースタンド（１）。
【請求項４】
少なくとも１つの前記シャッターパネル（５）は、ディスプレー手段（３０）を担持しており、又はディスプレー手段（３０）によって形成されている
ことを特徴とする請求項２に記載のディスプレースタンド（１）。
【請求項５】
少なくとも１つの前記シャッターパネル（５）は、前記制御手段（７）を担持しており、又は前記制御手段（７）によって形成されており、
少なくとも１つの前記シャッターパネル（５）は、ディスプレー手段（３０）を担持しており、又はディスプレー手段（３０）によって形成されており、
少なくとも１つの前記シャッターパネル（５）は、前記制御手段（７）と前記ディスプレー手段（３０）の両方を有するインタラクティブな手段を担持しており、又は前記少なくとも１つのシャッターパネル（５）は、インタラクティブな手段によって形成されている
ことを特徴とする請求項２に記載のディスプレースタンド（１）。
【請求項６】
前記ディスプレースタンド（１）は、前記物品（１０）ごとに、前記物品（１０）を受けるための独立した１つの前記支持体（３）を有する
ことを特徴とする請求項１に記載のディスプレースタンド（１）。
【請求項７】
前記ディスプレースタンド（１）は、複数の前記シャッターパネル（５）を有しており、これらのシャッターパネル（５）は、共同して前記開口（４）を閉じるように又は前記開口を完全に見ることができるようにするように、組み合わさっている
ことを特徴とする請求項１に記載のディスプレースタンド（１）。
【請求項８】
前記ディスプレースタンド（１）は、前記開口（４）の側方の両側にスライド式のシャッターパネル（５）を２つ有する
ことを特徴とする請求項７に記載のディスプレースタンド（１）。
【請求項９】
前記ディスプレースタンド（１）は、前記開口（４）の側方の両側にピボット運動式のシャッターパネル（５）を２つ有する
ことを特徴とする請求項７に記載のディスプレースタンド（１）。
【請求項１０】
前記オペレーション手段（６）は、すべての前記支持体（３）を同期された形態で動かすように構成している運搬手段（６３）を有する
ことを特徴とする請求項１に記載のディスプレースタンド（１）。
【請求項１１】
前記オペレーション手段（６）は、少なくとも１つの前記支持体（３）を他の支持体（３）とは独立に動かすように構成している運搬手段（６３）を有する
ことを特徴とする請求項１に記載のディスプレースタンド（１）。
【請求項１２】
前記ディスプレースタンド（１）は、第１の運動においてコンパートメント（２）の外側の方に、そして、第２の運動において前記コンパートメント（２）の内側の方に、１つの前記支持体（３）を前記開口（４）を通り抜けるように動かすエレベーション手段（８）を有する
ことを特徴とする請求項１に記載のディスプレースタンド（１）。
【請求項１３】
前記オペレーション手段（６）は、前記開口（４）を共同して閉じるか又は前記開口を完全に見ることができるようにするように構成している前記シャッターパネル（５）をすべて動かすように構成している閉じ手段（６５）を有しており、
前記エレベーション手段（８）の運動は、前記シャッターパネル（５）の運動と同期されている
ことを特徴とする請求項１２に記載のディスプレースタンド（１）。
【請求項１４】
前記検出手段（９）は、前記セキュリティ空間（１１）の外側の制御空間（１２）内のユーザーの手の運動を検出するように構成しているコマンド検出手段（９２）を有しており、そして、前記物品（１０）を選択するため又は行われた運動にしたがってプログラムドサイクルを開始するために前記制御手段（７）に接続している
ことを特徴とする請求項１に記載のディスプレースタンド（１）。
【請求項１５】
前記ディスプレースタンド（１）は、プログラムドサイクルを開始するために前記制御手段（７）と前記駆動手段（２０）に接続している、視覚的ないし視聴覚的なディスプレー手段（３０）及び／又は少なくとも１つのタッチスクリーン（７０）を有する
ことを特徴とする請求項１に記載のディスプレースタンド（１）。
【請求項１６】
少なくとも１つの前記プログラムドサイクルにおいては、前記開口（４）を通して前記物品（１０）をディスプレーするオペレーションが少なくとも１つ行われる
ことを特徴とする請求項１５に記載のディスプレースタンド（１）。
【請求項１７】
前記ディスプレースタンド（１）は、収容する前記支持体（３）に対してそれぞれ、前記物品（１０）をセキュリティ位置にて不動にするロック手段（４０）を有する
ことを特徴とする請求項１に記載のディスプレースタンド（１）。
【請求項１８】
前記ディスプレースタンド（１）は、収容する前記支持体（３）に対してそれぞれ、前記物品（１０）をセキュリティ位置にて不動にするロック手段（４０）を有しており、
前記ロック手段（４０）は、前記駆動手段（２０）の特定コマンドがあったとき及び／又はキーセレクター（５０）のオペレーションがあったときに前記エレベーション手段（８）によって行われる機械的なアンロックを行う
ことを特徴とする請求項１２に記載のディスプレースタンド（１）。
【請求項１９】
前記エレベーション手段（８）は、２００ミリ秒未満の時間の間に、前記第２の運動によって前記支持体（３）を前記コンパートメント（２）内に完全に動かすように構成している
ことを特徴とする請求項１２に記載のディスプレースタンド（１）。
【請求項２０】
請求項１に記載のディスプレースタンド（１）を少なくとも１つ有するディスプレーケース（１００）であって、
前記ディスプレーケース（１００）はそれぞれ、公衆と前記ディスプレースタンド（１）のそれぞれを分ける少なくとも１つのパーティション（１１０）を有し、
前記ディスプレーケース（１００）は、前記パーティション（１１０）に対して前記ディスプレースタンド（１）とは反対側に、ユーザーの手の運動を検出するように構成している外側検出手段（１０９）を有しており、
前記外側検出手段（１０９）は、前記物品（１０）を選択するため又は行われた運動にしたがってプログラムドサイクルを開始するために前記制御手段（７）に接続している
ことを特徴とするディスプレーケース（１００）。
【請求項２１】
請求項２０に記載のディスプレーケース（１００）を少なくとも１つ又は請求項１に記載のディスプレースタンド（１）を少なくとも１つ有し、
前記支持体（３）がそれぞれ、腕時計（１０）を担持するように構成している
ことを特徴とする腕時計ディスプレー構造。
【発明の詳細な説明】
【技術分野】
【０００１】
本発明は、少なくとも１つの支持体に固定された複数のディスプレー用物品を収容するように構成しているコンパートメントを有するインタラクティブなディスプレースタンドに関する。前記コンパートメントは、単一の開口を通してアクセス可能な囲まれたハウジングを形成しており、前記ディスプレースタンドは、オペレーション手段を制御するように構成している駆動手段を有しており、前記オペレーション手段は、一度に前記開口を通して単一の物品を見ることができるように少なくとも１つの前記支持体を動かすように構成している運搬手段を有しており、前記ディスプレースタンドは、前記物品の選択のためにユーザーがアクセス可能であり前記駆動手段に接続している制御手段を有しており、これによって、選択された物品を支持する前記支持体を前記開口と整列させてユーザーがその物品を見ることを可能にするように前記オペレーション手段を制御する。
【０００２】
本発明は、さらに、このようなディスプレースタンドを少なくとも１つ有するディスプレーケースに関する。
【０００３】
本発明は、さらに、このようなディスプレーケースを少なくとも１つ又はこのようなディスプレースタンドを少なくとも１つ有する腕時計のディスプレー構造に関する。
【０００４】
本発明は、貴重な物品、特に、計時器と装飾品のためのもの、を展示するためのデバイスの分野に関する。
【背景技術】
【０００５】
公衆に対する製品のプレゼンテーションには、その物品の大きさが小さいために近づくことを必要とすることが多い。このことは、価値が高いことが多く注意深く取り扱うことが必要であるような計時器や装飾品の製品の場合には顕著である。
【０００６】
店舗や商品展示会において製品をプレゼンテーションする際には製品を見せることが必要である。このため、オープンに展示されると保護することが難しいような高価な物品が夜間にはディスプレーケースから取り除かれることが多い。このように、長い時間高価なアイテムを展示することは難しい。
【０００７】
Ｂｏｕｒｄｉｅｒによる米国特許出願ＵＳ３７２９８３９Ａは、観察者が一連のアパレルやアクセサリーの物とともに自分の一部の像を順次的に見ることを可能にする設備を開示している。この設備によって、観察者がこれらの物を仮想的に試して、実際にこれらの物を着用しなくてもこれらの中から選択することが可能になる。この設備には、固定構造体と、ハウジングと、見るためのフレームと、及び可動支持体とがあり、前記固定構造体は、観察者に対向している半透明な垂直ミラーを担持しており、前記ハウジングは、固定構造体にマウントされ、前記半透明の鏡に対して観察者の反対側にあり、前記ハウジングは、開いた前側の壁を有し、前記見るためのフレームは、ハウジングの開いた前側の壁に摺動可能にマウントされており、垂直方向の位置に調整可能に動かすことができるように構成しており、前記見るためのフレームは、観察者の一部の高さに設けられるように意図されたガイドマークがある窓を有し、前記可動支持体は、前記見るためのフレームの後ろのハウジングにおいてマウントされ、前記可動支持体上には一連の物が配置され、前記可動支持体は、前記見るためのフレームの窓の後ろにて１つずつ順次的に当該物が現れるようにする駆動システムによってアクチュエートされる。本発明は、眼鏡やかつらのような実際の物品のディスプレーに適用可能であり、その場合に、当該設備は店舗の窓ディスプレー内に配置される。
【０００８】
Ｍｍｅ  Ｇｕｅｎａｒｄによるフランス特許出願ＦＲ１３５０７３７Ａは、貴重品のための選択的なセキュアなディスプレーキャビネットを開示している。このキャビネットには、窃盗のリスクに対する保護のためには１つの要素しか有していない。この要素は、キャビネットにある開口やベイに支持され、その後ろには、関心を持った者の要求に基づいて、ディスプレー用の物を支えている様々なパネルが１つずつ設置されている。なお、その設置箇所にはその者に直接的なアクセスをさせない。
【０００９】
Ｃａｎｅｄｙによる米国特許出願ＵＳ２００３／２０９９５５Ａ１は、ハウジング、プラットフォーム、エレベーション機構、及び閉じデバイスがあるディスプレーケースセキュリティ装置を開示している。このハウジングには、下側格納区画と、及びその下側格納区画の上に位置する上側格納区画がある。格納区画には、不透明な外壁があり、ディスプレー区画には、少なくとも部分的に透明な外壁がある。プラットフォームは、ハウジング内に配置され、ディスプレー用の物を支持する略水平部分を有する。プラットフォームは、プラットフォームに支持されるいずれの物もハウジングのディスプレー区画内にあるような第１の位置と、プラットフォーム上で支持されるいずれの物もハウジングの格納区画内にあるような第２の位置との間にて垂直方向に選択的に動くことができる。エレベーション機構は、ハウジング内にてマウントされ、収納位置と伸長位置の間にて線形軸に沿って選択的に伸長可能な線形アクチュエーターを有する。線形アクチュエーターは、ハウジングとプラットフォームの間にて接続され、直線軸が垂直方向にあるように配置される。
【００１０】
Ａｍｓｔｕｔｚによる米国特許出願ＵＳ２００８／１７４２１５Ａ１は、セキュリティ部分とディスプレー部分を有する囲いと、セキュリティ部分からディスプレー部分へと動くことができるプラットフォームと、セキュリティ部分を固定するセキュリティー要素と、ディスプレー部分の方へとプラットフォームを動かすガスばねと、及び可動な前記プラットフォームを安定化させる安定化アセンブリーとを有するセキュリティディスプレーケースを開示している。ガスばねは、随意に、別のガスばねと対になって、これらのばねからの側方からの力どうしが実質的に打ち消し合い、プラットフォームを動かすように鉛直方向の力が組み合わせられるようにすることができる。安定化アセンブリーは、共通の要素を介して係合する少なくとも２つのピニオンを有するラックとピニオンのギアアセンブリーであることができる。この共通の要素は、プラットフォームが動いたときに前記ギヤの回転どうしを同期させてプラットフォームの接続を防ぐ。セキュリティー要素は、セキュリティ部分上に折り重なるドアを有することができ、このドアは、それらのエッジ上にて共通のロック要素によって係合している。
【００１１】
Ｍｅｄａｗａｒによる米国特許ＵＳ９０７８５３１Ｂ１は、アイテムを容易に金庫に動かすディスプレーケースを開示している。ディスプレーケースには、第１のディスプレー部分と第２の安全な部分がある。この第２の安全な部分の前側と後ろ側の壁は、金庫の上側壁を形成するように回転する第１の上側パネルを有する。第２の安全な部分には、リフト機構がマウントされて、第２の安全な部分の内部に格納されたアイテムをディスプレー位置からセキュリティ位置へと動かす。第１の上側パネルとリフト機構を１つの制御システムが制御する。
【発明の概要】
【発明が解決しようとする課題】
【００１２】
本発明は、大きさが小さい貴重な物品を公衆が見る状態と、インタラクティブな内容とともにプレゼンテーションする状態を改善させることを提案するものである。
【課題を解決するための手段】
【００１３】
このために、本発明は、請求項１に記載のインタラクティブなディスプレースタンドに関する。
【００１４】
本発明は、さらに、このようなディスプレースタンドを少なくとも１つ有するディスプレーケースに関する。
【００１５】
本発明は、さらに、このようなディスプレーケースを少なくとも１つ又はこのようなディスプレースタンドを少なくとも１つ有する腕時計を展示する構造に関する。
【００１６】
添付の図面を参照しながら下記の詳細な説明を読むことで、本発明の他の特徴及び利点を理解することができるであろう。
【図面の簡単な説明】
【００１７】
【図１】２つのスライド式のシャッターパネルを備える本発明に係るディスプレースタンドの概略斜視図である。これには、開口を包囲するように映像スクリーンが設けられており、この開口を通して腕時計を支えている支持体が現れている。
【図２】シャッターパネルが閉位置にある同じディスプレースタンドを示しており、腕時計は、前記シャッターパネルによって閉じられたコンパートメント内に閉じ込められている。
【図３】図２３の位置にあるこのディスプレースタンドの構造を示している。
【図４】まだディスプレー開口の底部にある腕時計を支持体が支えているような開位置にあるシャッターパネルを示している。
【図５】支持体が開口を通り抜けて突き出ているような図１の位置を示している。
【図６】図２の位置を示している。
【図７】図５の位置を別の角から見た図である。
【図８】同じディスプレースタンドの機構をシャッターパネルを取り除いた状態で示した斜視図である。３つの支持体のそれぞれが腕時計及び腕時計を平行移動させるように動作させるモーターを支持している。
【図９】シャッターパネルを平行移動させるように動かすために別のモーターが設けられており、開口を通して支持体を持ち上げてディスプレー位置にするために別のモーターがさらに設けられている。
【図１０】図１０〜１２は、支持体の動作シーケンスを示している。図１０は、ディスプレー位置にあった支持体を下降させる動作を示している。
【図１１】ディスプレーの開口とは反対側にある別の支持体を平行移動させ位置合わせさせる動作を示している。
【図１２】この支持体を持ち上げる動作を示している。
【図１３】シャッターパネルの上のディスプレー位置にある腕時計のまわりのセキュリティ空間を示している。これはセンサーを介して達成される。
【図１４】このセキュリティ空間のまわりにある制御空間を示している。この制御空間において、ユーザーは、他のセンサーによって検出される運動を通してディスプレースタンドのオペレーションを制御することができる。
【図１５】セキュリティピンを備えた支持体にマウントされた腕時計を示している。
【図１６】ピンに対するキャッチの作用によってロック位置になっている図１５の支持体を示している。
【図１７】ピンに対するキャッチの作用によってロック位置になっている図１５の支持体を示している。
【図１８】ロッドアセンブリーに対するエレベーションモーターの作用によるアンロック機構を示している。これにはキャッチの解放を可能にする安全トラベルがある。
【図１９】ディスプレースタンドの様々な駆動及び制御回路の図である。
【図２０】ネットワークにおける複数のディスプレースタンドの制御を示している。
【図２１】ＲＦＩＤを介しての制御及び更新を示している。
【図２２】複数のディスプレースタンドのネットワークの壁構成を示している。
【図２３】モノリシックな床に立てられたディスプレーキャビネットを示している。
【図２４】公衆とディスプレースタンドを分けるパーティションの後ろに複数のディスプレースタンドのネットワークを有するディスプレーケースを示しており、外側にいるユーザーの手の運動を検出する外側検出手段を備えている。
【図２５】このようなディスプレーケースとこのようなディスプレースタンドを有する腕時計を提示するための構造を概略的に示している。
【発明を実施するための形態】
【００１８】
本発明は、少なくとも１つの支持体３に固定された複数のディスプレー用物品１０を収容するように構成しているコンパートメント２を有するインタラクティブなディスプレースタンド１に関する。これらの物品１０は、腕時計、装飾品又は他の貴重な物品であることができる。なお、これに限定されない。
【００１９】
コンパートメント２は、そのオペレーション位置において、囲まれたハウジングを形成しており、このハウジングには単一の開口４を通してアクセス可能である。
【００２０】
ディスプレースタンド１は、駆動手段２０を有しており、この駆動手段２０は、一度に開口４を通して１つのみの物品１０を見ることができるように、少なくとも１つの支持体３を動かすように構成している運搬手段６３を有するオペレーション手段６を制御するように構成している。このようにして、製品のプレゼンテーションサイクルにおいてディスプレースタンド１を動かすことができる。
【００２１】
このディスプレースタンド１は、さらに、物品１０を選択するためにユーザーがアクセス可能な制御手段７を有する。この制御手段７は、選択された物品１０を支持する支持体３を開口４と整列させてユーザーがこの物品１０を見ることができるようにオペレーション手段６を制御するように駆動手段２０に接続している。
【００２２】
このようにして、ユーザーは、特定の物品を見ることを要求することができ、ユーザーが制御手段に対してアクションを行うことで、特に、特定の物品をディスプレーするために、どのプレゼンテーションサイクルであっても中断させることができる。また、駆動手段２０は、公衆の中の人による物品１０を奪う試みをいずれも防ぐために、ディスプレー用物品１０を安全に保管することができるように構成している。
【００２３】
このために、好ましいことに、少なくとも１つのシャッターパネル５によって単一の開口４を閉じることができる。このシャッターパネル５は、物品１０をいずれも見ることができないようにする閉位置と１つの物品１０を見ることができるようにする開位置の間を動くことができる。オペレーション手段６は、閉じ手段６５を有し、この閉じ手段６５は、一度に開口４を通して単一の物品１０を見ることができるように少なくとも１つのシャッターパネル５を動かすように構成している。このようにして、制御手段７は、前記少なくとも１つのシャッターパネル５が開位置にあるときにユーザーが物品１０を見ることができるように、選択された物品１０を支持する支持体３を開口４と整列させるようにオペレーション手段６を制御する。
【００２４】
特定の実施形態において、少なくとも１つのシャッターパネル５は、制御手段７、特に、タッチスクリーン７０など、を担持していたり、又はこのような制御手段７によって形成されていたりする。
【００２５】
特定の実施形態において、少なくとも１つのシャッターパネル５は、ディスプレー手段３０、特に、ディスプレー画面、を担持していたり、又はこのようなディスプレー手段３０によって形成されていたりする。
【００２６】
特定の実施形態において、少なくとも１つのシャッターパネル５は、制御手段７とディスプレー手段３０の両方を有しているインタラクティブな手段を担持していたり、又はこの少なくとも１つのシャッターパネル５は、このようなインタラクティブな手段によって形成されていたりする。
【００２７】
図示した特定の実施形態において、ディスプレースタンド１は、各物品１０を受ける独立的な支持体３を有する。各物品１０に対して独立的な支持体３を有していることによって、自由度を大きくすることができる。例えば、単一の方向の平行移動ではなく２つの垂直の方向における平行移動などが可能になる。
【００２８】
特に、ディスプレースタンド１は、複数の組み合わさったシャッターパネル５を有しており、これらが共同して開口４を閉じたり、あるいは反対に、開口４を完全に開いて開口４とその中身を完全に見ることができるようにしたりする。
【００２９】
特に、ディスプレースタンド１は、スライド式のシャッターパネル５を有しており、特に、開口４の側方の両側に２つのスライド式のシャッターパネル５を有している。
【００３０】
別の変形態様（図示せず）において、ディスプレースタンド１は、開口４の側方の両側にピボット運動式のシャッターパネル５を有している。
【００３１】
変形態様の１つにおいて、オペレーション手段６は、同期させた形態で支持体３をすべて動かすように構成している運搬手段６３を有する。
【００３２】
変形態様の１つにおいて、オペレーション手段６は、他の支持体３とは独立に支持体３の少なくとも１つを動かすように構成している運搬手段６３を有する。
【００３３】
さらに別の変形態様において、駆動手段２０は、オペレーション手段６と、所望のサイクルに依存して、同期された形態で支持体３のすべて、又は他の支持体３とは独立して支持体３の少なくとも１つ、を動かすように構成している運搬手段６３を制御する。
【００３４】
特定の実施形態において、ディスプレースタンド１は、開口４を通して、第１の運動にてコンパートメント２の外側に、そして、第２の運動にてコンパートメント２の内側に、支持体３を平行移動させるエレベーション手段８を有する。
【００３５】
特に、オペレーション手段６は、閉じ手段６５を有しており、これは、すべてのシャッターパネル５を動かして共同して開口４を閉じたり、開口４を完全に見ることができるようにするように構成しており、エレベーション手段８の運動は、駆動手段２０によってシャッターパネル５の運動と同期される。
【００３６】
本発明によると、ディスプレー用物品のセキュリティを確実にするために、ディスプレースタンド１は、セキュリティ検出手段９１を有する検出手段９を有する。このセキュリティ検出手段９１は、セキュリティ空間１１におけるユーザーの手の存在を検出するように構成しており、また、駆動手段２０に接続している。この駆動手段２０は、このような手の存在を検出したときにプログラムドサイクルを開始したり、又は開口４を通してコンパートメント２内の物品１０のロックを達成したりするように構成している。
【００３７】
特に、この検出手段９は、コマンド検出手段９２を有し、このコマンド検出手段９２は、セキュリティ空間１１の外側であって制御空間１２内のユーザーの手の運動を検出するように構成しており、物品１０を選択したり、行われた運動にしたがってプログラムドサイクルを開始したりするために、制御手段７に接続されている。したがって、例えば、右から左へ、前側から後ろ側へ、上側から下側へ、又はこれらの逆のユーザーの手の運動によって、新しい製品のディスプレー、視聴覚的なプレゼンテーションなどをアクティブ化することができる。
【００３８】
特定の変形態様において、少なくとも１つのシャッターパネル５は、このようなセキュリティ検出手段９１及び／又はこのようなコマンド検出手段９２を有する。
【００３９】
好ましい変形態様において、ディスプレースタンド１は、視覚的ないし視聴覚的なディスプレー手段３０、及び／又は制御手段７と駆動手段２０に接続しておりプログラムドサイクルを開始させるタッチスクリーン７０を有する。
【００４０】
特に、少なくとも１つのプログラムドサイクルは、開口４を通して物品１０をディスプレーする少なくとも１つのオペレーションを含む。
【００４１】
特に、少なくとも１つのシャッターパネル５は、視覚的ないし視聴覚的なディスプレー手段３０及び／又は少なくとも１つのタッチスクリーン７０を担持している。
【００４２】
好ましくは、支持体３は、貴重な及び／又は脆弱な商品のプレゼンテーションに適しているものである。
【００４３】
好ましいことに、ディスプレースタンド１は、収容する支持体３ごとに、物品１０をセキュリティ位置にて不動にするロック手段４０を有する。
【００４４】
図示した変形態様において、ロック手段４０は、駆動手段２０の特定コマンドがあった際にエレベーション手段８によって、及び／又はキーセレクター５０のオペレーションによって、行われる機械的なアンロック機構を有する。
【００４５】
このようにして、ロック手段４０は、例えば、キャッチ３２を動作させて支持体３と一体化されたピン３１を不動にする。このキャッチ３２は、例えば、エレベーション手段８が備えるモーターの出力においてロッドアセンブリー３３によって制御することができる。
【００４６】
好ましくは、エレベーション手段８は、２００ミリ秒未満で第２の運動によって支持体３をコンパートメント２の完全に内側に動かすように構成している。
【００４７】
本発明は、さらに、このようなディスプレースタンドを少なくとも１つ有するディスプレーケース１００に関する。このディスプレーケース１００は、各ディスプレースタンド１と公衆の間に位置する少なくとも１つのパーティション１１０を有し、これは、例えば、ガラス壁、パーティショングリルなどである。また、ディスプレーケース１００は、パーティション１１０に対してディスプレースタンド１とは反対側に外側検出手段１０９を有している。この外側検出手段１０９は、ユーザーの手の運動を検出するように構成しており、物品１０を選択したり行われた運動にしたがってプログラムドサイクルを開始したりする制御手段７に接続している。したがって、大衆は、スタッフがいる営業時間外であっても製品や製品のディスプレーを見ることができる。このことは、特に店頭において、有利である。かかる店頭においては、動きがある夜間窓ディスプレーを提供することができる。例えば、壊されて侵入された場合などにセキュアなコンパートメント２の内部に迅速にしまい込むことができるように製品のプレゼンテーションを行うことができる。特定の変形態様において、コンパートメント２を閉じるために用いられるシャッターパネル５と前記コンパートメント２が強化構成を有するようにする。
【００４８】
本発明は、さらに、このようなディスプレーケース１００を少なくとも１つ又はこのようなディスプレースタンド１を少なくとも１つ有する腕時計１０を展示するための構造であって、その支持体３がそれぞれ腕時計１０を支持するように構成しているものに関する。
【００４９】
図面には、ディスプレースタンド１が物品１０、特に、図示した例におけるような腕時計（これに限定されない）や装飾品、をディスプレーするように互いに離れるように動く２つの可動なシャッターパネル５を有するセキュリティーシステムを備えた本発明の特定の実施形態を示している。なお、これに限定されない。
【００５０】
このディスプレースタンド１は以下の機能を有する。
−  自然な形態で物品１０、特に、腕時計、をディスプレーする。
−  物品１０、特に、腕時計、の安全を保護する。
−  複数の物品１０をディスプレーすることができる。例えば、図示した例においては、３つの異なる腕時計をディスプレーすることができる（一度に１つのみの腕時計がディスプレーされる）。
−  「Ｃリング」と呼ばれる実質的に環状のスタンドを伝統的に有することができる腕時計の支持体上に配置された腕時計の安全を保護する。
−  ２つのシャッターパネルを閉じることによって腕時計を見えなくする。
−  モノリシック、テーブル、壁構成のように形態や構成が非常に異なっても最大限のインテグレーションの柔軟性を与える。
本発明に係るディスプレースタンド１は、用途が多いという利点があり、これによって、あらゆるタイプのディスプレーケース内に組み入れることができる。
【００５１】
スタンドアローンのディスプレースタンド１と複数のこのようなディスプレースタンド１のネットワークとの両方においても、いくつもの製品のプレゼンテーションシーケンスが可能である。
【００５２】
例えば、インタラクティブ性に関して、スタンドアローンのディスプレースタンドがシャッターパネルスクリーン５のようないくつかのスクリーンを有し、各スクリーン上に動画を再生させて、この動画を、シャッターパネル、スクリーン及び物品１０、特に、腕時計、の運動が視覚的にディスプレーされるように、繰り返し再生させることができる。検出がアクチュエートされると、ディスプレーされていた腕時計は、動画開始時と同じ時に、コンパートメント２内に戻る。数秒後に通常のシーケンスが再び開始する。
【００５３】
訪問者は、さらに、ユーザーの手の運動（特に、右から左、左から右の運動）を検出するセンサーによって、腕時計や映像のプレゼンテーションの変更を要請することができる。
【００５４】
複数の同期されたディスプレースタンドのネットワークが特に魅力的である。このとき、インタラクティブ性に関して、映像と腕時計のディスプレーが同期されたアニメーションを開始させることができる。運動センサーによって訪問者がアセンブリーと相互作用することができる。
【００５５】
図示した機構において、当該システムは、それぞれ自身のモーターに関連づけられており互いに独立に駆動される３つの運動によって定められる。これらの運動どうしの同期は、ドライブ手段２０の制御プログラムによって達成される。これらの３つの運動は以下の通りである。
−  シャッターパネルを開く／閉じる運動（シャッターパネル５の平行移動の運動）
−  中央部における腕時計の上昇／下降の運動（例えば、カム運動）
−  腕時計を変える運動（支持体３の平行移動の運動）
【００５６】
シャッターパネル５及び／又はスクリーンは、好ましいことに、スクリーンのエッジを隠すように不透明及び／又はスモーク形態のフィルムを有するガラスパネルによってカバーされる。シャッターパネル及び／又はスクリーンは、２つのシャッターパネルが閉まっているときに中央部におけるエッジを最小限にするように選択される。好ましいことに、信頼度を増加させて製造コストを下げるために、別のガラスパネルの上でシャッターパネルの運動が行われる。この別のガラスパネルにも不透明フィルムが設けられ、シャッターパネルとその間のフラッシュ部の間の空間を埋めることとなるフラップは用いられない。したがって、動く部品はほとんどなく、ガラスパネルによって視覚的な均一性が与えられる。
【００５７】
腕時計のエレベーション機構は、ここでは約３６ｍｍ腕時計を突出させることができる。これは、腕時計が見えるようにするためには十分に大きく、また、窃盗されそうになったときに迅速に格納するためにも問題がない。
【００５８】
セキュリティ空間１１への侵入を検出するために、検出手段９は、センサー、特に、赤外線センサー、のアレー構成を有し、これは、腕時計のまわりや腕時計の上の約１０ｃｍの範囲内の物品を検出することができる。この検出があった場合には、当該システムは、すぐに第２のディスプレー用腕時計を内側に戻してシャッターパネルを閉じる。システムがパワーを喪失した場合であっても十分なパワーリザーブがあれば、腕時計を内側に戻してシャッターパネルを閉じることができる。
【００５９】
いずれの場合も、腕時計の支持体は、アセンブリーに機械的にロックされ続ける。したがって、（キースイッチによって）前もって腕時計を外すことをモジュールに要求しないかぎり腕時計をその支持体から取り外すことができない。
【００６０】
腕時計の支持体３はセキュアである。すなわち、腕時計はそれぞれＣリングスタンド上に配置され、これは、ラッチ留め具によってロックされ、また、中央部における腕時計のエレベーション手段８のモーターによって必要に応じてアンロックされる。Ｃリングスタンドは、以下の２つの部品によって形成されている。すなわち、機械デバイスにロックする貫通ピン３１を有する被覆付きスタッドと、被覆付きフォーム要素とである。この被覆付きフォーム要素は、アセンブリーに適応性を与えて男性向けの腕時計にも女性向けの腕時計にも適合するようにするために、２つの大きさのものが利用可能である。Ｃリングは、大きな寸法構成の腕時計に対応することができる。腕時計がＣリングに取り付けられた後に、そのアセンブリーが支持体にクリップ固定される。支持体は、このような目的のために設けられ、各支持体が鉛直方向の線形ガイドに取り付けられる。２つのフック３２がそれぞれＣリングのピン３１に支えられることによってロックが行われる。その後には、ロックされたフックをアクチュエートさせずに腕時計を取り外すことはできない。
【００６１】
エレベーション手段８のモーターによってアンロックが行われる。腕時計のロックを解除するために、支持体は、高々６ｍｍの付加的なトラベルの分さらに外側に動く。これによって、フックを外して腕時計の支持体を解放する。この機構は、キーセレクター５０を介してアクチュエートされる。
【００６２】
セキュリティ空間１１の外側の制御空間１２において、検出手段９はコマンド検出手段９２、特に、運動センサー、を有している。システムとインタラクションをするために（ディスプレー用腕時計の映像を変えるなど）、赤外線センサーのアレー、特に、１列のもの、が運動、特に、右から左への運動や左から右への運動、を遠隔検出することができる。このセンサーアレーは、当該機構の残りとは独立しており、したがって、ディスプレーケース１００の用途におけるように容易に動かすことができる。
【００６３】
ロータリーシーケンサーを用いることによって、ＲＳ４８５接続などを用いて本発明に係る複数のディスプレースタンド１どうしを同期させることができる。
【００６４】
コマンドから映像の開始までのシステム応答時間は、０．１５０秒であり、これは、ユーザーにとって非常に短く、ほとんど認識することができない。
【００６５】
変形態様の１つは、ＲＦＩＤバッジを用いてシーケンスをアンロック及び／又は更新するＲＦＩＤリーダーモジュールを有している。
【００６６】
当該機構の様々な構成が可能である。
−  壁構成：複数のモジュールを壁に固定して（又は壁に組み入れて）、互いに同期させることができる。
−  モノリシック性：モノリシックな床に立てられたキャビネットに独立したモジュールが組み入れられる。
−  インタラクティブな窓ディスプレー：赤外線運動センサーによって店舗の外側からインタラクションが可能であるように店舗の窓の中に当該モジュールが配置される。
【００６７】
腕時計のアンロックはＲＦＩＤによって制御される。デフォルトでは、腕時計はキーによってアンロックされる。このキーシステムをＲＦＩＤカードリーダー（非接触のもの）に置き換えることができる。そして、ディスプレーケースの近くにタグを通すだけでアンロックを行うことができる。
【００６８】
また、ＲＦＩＤによって腕時計をアンロックするシステムに加えて、適切なＲＦＩＤカードを用いることによってＲＦＩＤによってシーケンスを更新することができる。ディスプレーケースは、非接触式のカードによって管理される。
【符号の説明】
【００６９】
１  ディスプレースタンド
２  コンパートメント
３  支持体
４  開口
５  シャッターパネル
６  オペレーション手段
７  制御手段
８  エレベーション手段
９  検出手段
１０  物品
１１  セキュリティ空間
１２  制御空間
２０  駆動手段
３０  ディスプレー手段
４０  ロック手段
５０  キーセレクター
６３  運搬手段
６５  閉じ手段
７０  タッチスクリーン
８１  安全チャンバーＩＲセンサー
９１  セキュリティ検出手段
９２  コマンド検出手段
１００  ディスプレーケース
１０９  外側検出手段
１１０  パーティション
【図１】
2018153620.tif 000003
【図２】
2018153620.tif 000004
【図３】
2018153620.tif 000005
【図４】
2018153620.tif 000006
【図５】
2018153620.tif 000007
【図６】
2018153620.tif 000008
【図７】
2018153620.tif 000009
【図８】
2018153620.tif 000010
【図９】
2018153620.tif 000011
【図１０】
2018153620.tif 000012
【図１１】
2018153620.tif 000013
【図１２】
2018153620.tif 000014
【図１３】
2018153620.tif 000015
【図１４】
2018153620.tif 000016
【図１５】
2018153620.tif 000017
【図１６】
2018153620.tif 000018
【図１７】
2018153620.tif 000019
【図１８】
2018153620.tif 000020
【図１９】
2018153620.tif 000021
【図２０】
2018153620.tif 000022
【図２１】
2018153620.tif 000023
【図２２】
2018153620.tif 000024
【図２３】
2018153620.tif 000025
【図２４】
2018153620.tif 000026
【図２５】
2018153620.tif 000027